(57)【要約】【課題】他の容器体への内容物の注入作業を簡単に、かつ、確実に行うことができ、低コストで製作可能な詰め替え用容器を提供する。【解決手段】他の容器体に注入するための内容物が収容される詰め替え用容器において、筒状をなす胴部１２及びこの胴部１２の上端に連設された注出口部２０を備えた容器本体１１と、注出口部２０に被着される蓋部とを有し、蓋部は、開栓状態において容器本体１１に係止される筒状部３１と、注出口部２０の開口部を封止する蓋本体３２とを備え、これら筒状部３１と蓋本体３２とが破断容易部３３を介して連結されており、注出口部２０は、容器本体１１に係止された筒状部３１よりも内周側に位置する注出筒２３を備えており、注出筒２３と筒状部３１の間には、前記他の容器体の口筒部に被着可能な環状凹部４３が画成されることを特徴とする。【選択図】図２
2008162595.tif 000002
【特許請求の範囲】
【請求項１】
他の容器体に注入するための内容物が収容される詰め替え用容器において、
筒状をなす胴部及びこの胴部の上端に連設された注出口部を備えた容器本体と、前記注出口部に被着される蓋部とを有し、
前記蓋部は、開栓状態において前記容器本体に係止される筒状部と、前記注出口部の開口部を封止する蓋本体とを備え、これら筒状部と蓋本体とが破断容易部を介して連結されており、
前記注出口部は、前記容器本体に係止された前記筒状部よりも内周側に位置する注出筒を備えており、
前記注出筒と前記筒状部の間には、前記他の容器体の口筒部に被着可能な環状凹部が画成されることを特徴とする詰め替え用容器。
【請求項２】
請求項１に記載の詰め替え用容器において、
前記筒状部の内周面には、前記他の容器体の口筒部に係合する係合部が設けられていることを特徴とする詰め替え用容器。
【請求項３】
請求項１または請求項２に記載の詰め替え用容器において、
前記蓋本体には、前記容器本体内に挿入されて前記注出筒の内周面に密接する封止部が設けられていることを特徴とする詰め替え用容器。
【請求項４】
請求項１から請求項３のいずれかに記載の詰め替え用容器において、
前記注出筒と前記筒状部の間に画成された前記環状凹部の底面は、前記他の容器体の口筒部の開口端面と気密状態で当接する構成とされていることを特徴とする詰め替え用容器。
【発明の詳細な説明】
【技術分野】
【０００１】
本発明は、他の容器体に注入するための内容物が収容される詰め替え用容器に関するものである。
【背景技術】
【０００２】
従来、前述の詰め替え用容器としては、例えば特許文献１、２に開示されているように、筒状をなす胴部と、内容物を注出する注出口部とを備えたものが提案されている。これらの詰め替え用容器においては、詰め替え用容器内の内容物を注出口部から注出し、他の容器体の口筒部を通じて他の容器体内に注入する。
【特許文献１】特開平１０−３２９８４９号公報
【特許文献２】特開２００４−１８０９３号公報
【発明の開示】
【発明が解決しようとする課題】
【０００３】
しかしながら、前述の詰め替え用容器においては、他の容器体の口筒部の開口面積が小さい場合に、詰め替え用容器内の内容物を他の容器体へと注入することが困難となり、注入作業時に内容物が漏れてしまうおそれがあった。
特に、詰め替え用容器の胴部の肉厚が薄い場合には、詰め替え用容器を把持した際に胴部が変形してしまうので、取扱い性が悪く、他の容器体への内容物の注入作業が一層困難となってしまう。
【０００４】
本発明は、前述した事情に鑑みてなされたものであって、他の容器体への内容物の注入作業を簡単に、かつ、確実に行うことが可能な詰め替え用容器を提供することを目的とする。
【課題を解決するための手段】
【０００５】
この課題を解決するために、本発明の詰め替え用容器は、他の容器体に注入するための内容物が収容される詰め替え用容器において、筒状をなす胴部及びこの胴部の上端に連設された注出口部を備えた容器本体と、前記注出口部に被着される蓋部とを有し、前記蓋部は、開栓状態において前記容器本体に係止される筒状部と、前記注出口部の開口部を封止する蓋本体とを備え、これら筒状部と蓋本体とが破断容易部を介して連結されており、  前記注出口部は、前記容器本体に係止された前記筒状部よりも内周側に位置する注出筒を備えており、前記注出筒と前記筒状部の間には、前記他の容器体の口筒部に被着可能な環状凹部が画成されることを特徴としている。
【０００６】
この構成の詰め替え用容器においては、開栓するために蓋部を操作すると破断容易部で筒状部と蓋本体とが分離して、筒状部のみが容器本体に係止されて残存する。そして、この筒状部と容器本体の注出筒との間に画成された環状凹部を他の容器体の口筒部に被着させることで他の容器体の内部に注出筒を挿入した状態で詰め替え用容器を固定することが可能となる。したがって、注出筒が他の容器体内に挿入されて固定された状態で注入作業を行うことができるので、内容物が漏れ出すおそれがなくなり、注入作業を簡単に、かつ、確実に行うことができる。
また、蓋部は、筒状部と注出筒の開口端を封止する蓋本体とが破断容易部を介して連結された構造とされているので、この詰め替え用容器が一度開栓されたものであるか否かを目視にて容易に判断することができる。
【０００７】
ここで、前記筒状部の内周面に、前記他の容器体の口筒部に係合する係合部を設けてもよい。
この場合、この筒状部と注出筒との間に画成された環状凹部を他の容器体の口筒部に被着させた際に、他の容器体の口筒部と筒状部とを互いに係合させて強固に固定することができる。このため、注入作業時に詰め替え用容器がぐらつくことがなくなり、注入作業をさらに確実に行うことができる。
【０００８】
また、前記蓋本体に、前記容器本体内に挿入されて前記注出筒の内周面に密接する封止部を設けてもよい。
この場合、詰め替え用容器を密封することが可能となり、内容物の劣化や変質を確実に防止できる。
【０００９】
また、記注出筒と前記筒状部の間に画成された前記環状凹部の底面を、前記他の容器体の口筒部の開口端面と気密状態で当接する構成としてもよい。
この場合、他の容器体に内容物を注入する際に、他の容器体の口筒部の開口端面と環状凹部の底面とが気密状態で当接された状態で、他の容器体をスクイズ変形させてこの容器体内の空気を詰め替え用容器に一旦流入させた後に前述のスクイズ変形を解除することにより、他の容器体内が負圧状態となって詰め替え用容器内の内容物を他の容器体内に吸い込ませて注入することが可能となる。このことにより、他の容器体への注入を効率的に行うことができる。なお、このような注入作業は、例えばトリートメント等の高粘性の内容物を注入する場合に好適である。
【発明の効果】
【００１０】
本発明によれば、詰め替え用容器の注出筒を他の容器体の口筒部に挿入して、注出筒と筒状部との間に画成された環状凹部を他の容器体の口筒部に被着して固定することが可能となり、この状態で内容物の注入作業を行うことができるので、内容物の注入作業を簡単に、かつ確実に行うことができる。
【発明を実施するための最良の形態】
【００１１】
以下に、本発明の実施形態である詰め替え用容器について添付した図面を参照して説明する。図１から図４に、本発明の実施形態である詰め替え用容器を示す。
この詰め替え用容器１０は、例えばトリートメント等の高粘性の内容物を収容するものであり、容器本体１１と蓋部３０とを備えている。
【００１２】
容器本体１１は、中心軸線Ｌに沿って延びる筒状をなす胴部１２と、胴部１２の下端（図１および図２において下側）に連設された底部１３と、胴部１２の上端（図１および図２において上側）に連設されて上側に向かうにしたがい漸次断面積が小さくなるように構成された肩部１４と、この肩部１４の内周端に接続されて上方に向けて突出する注出口部２０と、を備えている。つまり、本実施形態においては、胴部１２と注出口部２０とが肩部１４を介して連設されているのである。
【００１３】
注出口部２０は、図２に示すように、肩部１４に接続され、軸線Ｌに沿って上方に向けて延びる大径部２１と、この大径部２１の上端に連設され、上方に向かうにしたがい漸次縮径するテーパ部２２と、このテーパ部２２の内周端から軸線Ｌに沿って上方に向けて延びる注出筒２３とを備えている。また、注出筒２３の外周面には雄ネジが設けられている。
【００１４】
なお、本実施形態では、注出筒２３の基端部、つまりテーパ部２２との接続部分に、径方向内方に向けて凹んで内径が一段小さくされたくびれ部２４が設けられている。
そして、大径部２１とテーパ部２２との接続部分には、径方向外側に向けて突出した係止部２５が設けられている。
このような構成とされた容器本体１１は、例えば、ポリエチレン、ポリプロピレン、ポリエチレンテレフタレート等の合成樹脂により形成されており、ブロー成形により一体に成形されている。
【００１５】
蓋部３０は、注出口部２０の係止部２５によって容器本体１０に係止される筒状部３１と、この筒状部３１の径方向内方に位置して前記注出筒２３の開口部を封止する蓋本体３２とを備えており、これら筒状部３１と蓋本体３２とが破断容易部３３によって連結されている。破断容易部３３は、肉厚が薄い連結部３４が周方向に間隔を開けて複数配置されることで構成されている。
【００１６】
筒状部３１は、概略円筒状をなしており、その内径が注出口部２０の大径部２１とテーパ部２２との接続部分に設けられた係止部２５部分の外径と略同一とされている。この筒状部３１の基端（図２において下端）部分には、径方向内方に向けて突出して係止部２５と係合する係止片３５が設けられている。
また、筒状部３１の上端部分には、内周面から径方向内方に向けて突出した係合凸部３６が周方向に間隔を開けて配設されている。なお、本実施形態においては、これら複数の係合凸部３６は、他の容器体５０の口筒部５１に形成された雄ネジ部に螺合可能なネジ部を構成している。
【００１７】
蓋本体３２は、円筒状をなす周壁部３７と、周壁部３７の上端に連設された環状天板部３８と、この環状天板部３８の内周端に連設されて下方に向けて突出する封止凸部３９と、を備えている。周壁部３７の内周面には、注出筒２３の外周面に設けられた雄ネジに螺合される雌ネジが形成されている。
環状天板部３８には、その内面から下方に向けて延びて前記注出筒２３の上端部分の内周面に嵌入可能な嵌合筒部４０が突設されている。
【００１８】
封止凸部３９は、外形が円筒状をなしていて、その外径が注出筒２３に設けられたくびれ部２４の内径と同一とされており、封止凸部３９とくびれ部２４の内周面とが密接することで注出筒２３を気密状態で封止するようにされている。
このような構成とされた蓋部３０は、筒状部３１、蓋本体３２及び破断容易部３３を含めて一体に成形されている。
【００１９】
次に、図４を参照にして本実施形態である詰め替え用容器１０による他の容器体５０への内容物の注入作業について説明する。
図４に示すように、他の容器体５０の上端部分には、上方に向けて突出する口筒部５１が設けられており、この口筒部５１の外周面に雄ネジ部が形成されている。
【００２０】
他の容器体５０に内容物を充填する際には、まず、蓋部３０の蓋本体３２を把持して、筒状部３１を固定した状態で容器本体１１に対して軸線Ｌ回りに回動させる。すると、筒状部３１は固定されたままで蓋本体３２が回動し、破断容易部３３の連結部３４が破断して蓋本体３２と筒状部３１とが分離される。そして、蓋本体３２の周壁部３７の雌ネジと注出筒２３の雄ネジとの螺合を解除して蓋本体３２を取り外すことで、この詰め替え用容器１０が開栓される。
【００２１】
このように開栓した状態において筒状部３１は容器本体１０に係止されて残存している。ここで、筒状部３１が、注出口部２０の大径部２１とテーパ部２２との接続部分に形成された係止部２５によって係止されるとともに、注出筒２３がテーパ部２２の内周端に連設されるように設けられているので、筒状部３１と注出筒２３との間に、環状凹部４３が画成され、テーパ部２２の外表面がこの環状凹部４３の底面とされる。
【００２２】
このように開栓した詰め替え用容器１０の注出筒２３を、他の容器体５０の口筒部５１の開口部を通じて他の容器体５０の内部に挿入するとともに、他の容器体５０の口筒部５１に環状凹部４３が被せられ、口筒部５１の雄ネジ部に筒状部３１の係合凸部３６によって形成されたネジ部が螺合されて、詰め替え用容器１０と他の容器体５０とが互いに固定される。
このとき、他の容器体５０の口筒部５１の開口端が、環状凹部４３の底面とされたテーパ部２２の外表面に当接されて、詰め替え用容器１０と他の容器体５０とが気密状態で結合される。
【００２３】
このようにして詰め替え用容器１０と他の容器体５０とが気密状態で結合された状態で、他の容器体５０をスクイズ変形させると、他の容器体５０内の空気が詰め替え用容器１０内へと流入し、詰め替え用容器１０が膨張することによって内容積が増加する。そしてスクイズ変形を解除することにより、他の容器体５０の内部が負圧となって、詰め替え用容器１０の内部に収容されている内容物が他の容器体５０へと注入される。
【００２４】
本実施形態である詰め替え用容器１０においては、開栓するために蓋部３０を回動させると破断容易部３３で筒状部３１と蓋本体３２とが分離して、筒状部３１のみが容器本体１１に係止されて残存し、注出筒２３との間に環状凹部４３が画成される。この環状凹部４３を他の容器体５０の口筒部５１に被せるようにして配置することで、口筒部５１の開口部に注出筒２３を挿入した状態で詰め替え用容器１０と他の容器体５０とを固定することが可能となる。したがって、注出筒２３を他の容器体５０内に挿入して固定した状態で注入作業を行うことができるので、内容物が漏れ出すおそれがなくなり、他の容器体５０への内容物の注入作業を簡単に、かつ、確実に行うことができる。
【００２５】
さらに、筒状部３１の内周面に複数の係合凸部３６が設けられ、これら複数の係合凸部３６が、口筒部５１の雄ネジ部に螺合可能なネジ部を構成しているので、筒状部３１と口筒部５１とを螺合によって固定することができる。よって、注入作業時に詰め替え用容器１０がぐらつくことがなくなり、注入作業をさらに確実に行うことができる。
【００２６】
また、蓋部３０は、筒状部３１と蓋本体３２とが破断容易部３３を介して連結された構造とされており、この詰め替え用容器１０を開栓した際には破断容易部３３の連結部３４が破断されるので、既に開栓されたものであるか否かを目視で容易に判断することができる。
【００２７】
さらに、蓋本体３２に、環状天板部３８の内周端に連設されて下方に向けて突出する封止凸部３９が設けられ、この封止凸部３９が注出筒２３に設けられたくびれ部２４の内周面に密接することで注出筒２３を気密状態に封止可能な構成とされているので、詰め替え用容器１０内に空気等が入り込むことがなく、内容物と空気との接触を防止して内容物の劣化や変質を確実に防止できる。
【００２８】
また、注出筒２３と筒状部３１の間に画成された環状凹部４３の底面をなすテーパ部２２の外表面が、他の容器体５０の口筒部５１の開口端面と気密状態で当接する構成とされているので、他の容器体５０と詰め替え用容器１０とを前述のように固定した状態で、他の容器体５０をスクイズ変形させてこの容器体５０内の空気を詰め替え用容器１０に一旦流入させた後にスクイズ変形を解除することにより、他の容器体内５０が負圧状態となって詰め替え用容器１０内の内容物を他の容器体５０内に吸い込ませることができる。そして、他の容器体５０への注入を効率的に行うことができる。また、高粘性の内容物であっても確実に他の容器体５０に注入することができる。
【００２９】
以上、本発明の実施形態である詰め替え用容器について説明したが、本発明の技術的範囲はこれに限定されることはなく、本発明の技術的思想を逸脱しない範囲で適宜変更可能である。
例えば、本実施形態においては、筒状部の内周面に複数の係合凸部を設けてネジ部を形成したものとして説明したが、これに限定されることはなく、アンダーカット係合するための係合凸部を設けたものであってもよい。また、係合凸部（係合部）がなく、筒状部と他の容器体の口筒部とが嵌合によって固定される構成としてもよい。
【００３０】
さらに、注出筒にくびれ部を形成するとともに蓋部に封止凸部を形成して、これらくびれ部と封止凸部とを密着させて気密状態で封止する構成のものとして説明したが、くびれ部や封止凸部が形成されていなくてもよい。
【００３１】
また、胴部や底部等の形状は、本実施形態に限定されることはなく、適宜設計することができる。
さらに、トリートメント等の高粘性の内容物を収容するものとして説明したが、収容される内容物に特に限定はなく、飲料液や調味料等の食品、シャンプー、液体石鹸等であってもよい。
【産業上の利用可能性】
【００３２】
他の容器体への内容物の注入作業を簡単に、かつ、確実に行うことが可能な詰め替え用容器を提供することができる。
【図面の簡単な説明】
【００３３】
【図１】本発明の実施形態である詰め替え用容器の側面部分断面図である。
【図２】図１に示す詰め替え用容器の注出口部及び蓋部の側面拡大図である。
【図３】図１に示す詰め替え用容器の蓋部の上面図である。
【図４】図１の詰め替え用容器を使用して他の容器体に内容物を注入する状態を示す説明図である。
【符号の説明】
【００３４】
１０  詰め替え用容器
１１  容器本体
１２  胴部
２０  注出口部
２３  注出筒
３０  蓋部
３１  筒状部
３２  蓋本体
３３  破断容易部
３６  係合凸部（係合部）
３９  封止凸部（封止部）
４３  環状凹部
５０  他の容器体
５１  口筒部
【図１】
2008162595.tif 000003
【図２】
2008162595.tif 000004
【図３】
2008162595.tif 000005
【図４】
2008162595.tif 000006